(57)【要約】【課題】咬み合わせ時に上の歯と下の歯との間に加わる圧力とその圧力が加わった位置及び時刻とに基づいて咬合特性を分析することができる咬合特性分析装置及び咬合特性分析方法を提供する。【解決手段】咬合特性分析装置１００は、咬み合わせ時に上の歯と下の歯との間に加わる圧力とその圧力が加わった位置とを計測する圧力計測部１１と、圧力計測部１１が圧力を計測した時刻を計時する計時部２３と、圧力計測部１１が計測した圧力及び位置の情報と計時部２３が計時した時刻の情報とを対応付けて記憶する記憶部２４と、記憶部２４に記憶されている情報に基づいて咬合特性を分析する咬合特性分析部２５と、咬合特性分析部２５による分析結果を表示する表示部２６とを備える。【選択図】図４
2008264024.tif 000002
【特許請求の範囲】
【請求項１】
咬み合わせ時に上の歯と下の歯との間に加わる圧力とその圧力が加わった位置とを計測する圧力計測部と、
前記圧力計測部が圧力を計測した時刻を計時する計時部と、
前記圧力計測部が計測した圧力及び位置の情報と前記計時部が計時した時刻の情報とを対応付けて記憶する記憶部と、
前記記憶部に記憶されている情報に基づいて咬合特性を分析する咬合特性分析部と、
前記咬合特性分析部による分析結果を表示する表示部と、
を備えることを特徴とする咬合特性分析装置。
【請求項２】
時刻の情報の入力を受け付ける時刻情報入力部を更に備え、
前記咬合特性分析部は、前記時刻情報入力部に入力された時刻の情報に対応する圧力の情報と位置の情報とを前記記憶部から読み出し、
前記表示部は、前記咬合特性分析部が読み出した圧力と位置との関係を表示することを特徴とする請求項１に記載の咬合特性分析装置。
【請求項３】
前記圧力計測部が計測した圧力が予め設定された圧力以上の領域の面積を算出する面積特定部を更に備え、
前記表示部は、前記咬合特性分析部が読み出した圧力と位置との関係とともに前記面積特定部が特定した面積を表示することを特徴とする請求項２に記載の咬合特性分析装置。
【請求項４】
位置の情報の入力を受け付ける位置情報入力部を更に備え、
前記咬合特性分析部は、前記位置情報入力部に入力された位置の情報に対応する時刻の情報と圧力の情報とを前記記憶部から読み出し、
前記表示部は、前記咬合特性分析部が読み出した時刻と圧力との関係を表示することを特徴とする請求項１に記載の咬合特性分析装置。
【請求項５】
前記圧力計測部は、咬み合わせ時に上の歯と下の歯との間に加わる圧力とその圧力が加わった位置とを圧電シートにより計測することを特徴とする請求項１から４までのいずれかの項に記載の咬合特性分析装置。
【請求項６】
前記圧力計測部は、咬み合わせ時に上の歯と下の歯との間に加わる圧力とその圧力が加わった位置とを感圧ゴムシートにより計測することを特徴とする請求項１から４までのいずれかの項に記載の咬合特性分析装置。
【請求項７】
咬み合わせ時に上の歯と下の歯との間に加わる圧力とその圧力が加わった位置とを計測する圧力計測過程と、
前記圧力計測過程で圧力を計測する時刻を計時する計時過程と、
前記圧力計測過程で計測した圧力及び位置の情報と前記計時過程で計時した時刻の情報とを対応付けて記憶する記憶過程と、
前記記憶過程で記憶した情報に基づいて咬合特性を分析する咬合特性分析過程と、
前記咬合特性分析過程での分析結果を表示する表示過程と、
を有することを特徴とする咬合特性分析方法。
【発明の詳細な説明】
【技術分野】
【０００１】
本発明は、咬合特性分析装置及び咬合特性分析方法、特に、上の歯と下の歯での咬み合わせ時の咬合特性を分析するための咬合特性分析装置及び咬合特性分析方法に関する。
【背景技術】
【０００２】
従来から、咬み合わせ時に上の歯と下の歯との間に加わる圧力とその圧力が加わった位置とを検出する圧力検出シートが知られている。この圧力検出シートは、それぞれ異なる薬品が封入された２種類のマイクロカプセルが埋め込まれており、圧力検出シートに圧力が加わると、２種類のマイクロカプセルが破壊され、マイクロカプセル内に封入された薬品が反応して、赤色に発色するものである。圧力検出シートの変色の状態により、圧力検出シートにどの程度の圧力が加わったのかについて利用者は知ることができる。
【発明の開示】
【発明が解決しようとする課題】
【０００３】
しかしながら、従来から使用されていた圧力検出シートでは、圧力検出シートにどの程度の圧力が加えられたかについて知ることはできるものの、圧力検出シートに加えられる圧力が時間の経過とともにどのように変化したかについては知ることができないという問題があった。
【０００４】
本発明は、上記事情に鑑みてなされたものであり、その目的は、咬み合わせ時に上の歯と下の歯との間に加わる圧力とその圧力が加わった位置及び時刻とに基づいて咬合特性を分析することができる咬合特性分析装置及び咬合特性分析方法を提供することにある。
【課題を解決するための手段】
【０００５】
本発明は、上記課題を解決するためになされたもので、請求項１に記載の発明は、咬み合わせ時に上の歯と下の歯との間に加わる圧力とその圧力が加わった位置とを計測する圧力計測部と、前記圧力計測部が圧力を計測した時刻を計時する計時部と、前記圧力計測部が計測した圧力及び位置の情報と前記計時部が計時した時刻の情報とを対応付けて記憶する記憶部と、前記記憶部に記憶されている情報に基づいて咬合特性を分析する咬合特性分析部と、前記咬合特性分析部による分析結果を表示する表示部とを備えることを特徴とする咬合特性分析装置である。
本発明では、咬み合わせ時に上の歯と下の歯との間に加わる圧力とその圧力が加わった位置及び時刻とに基づいて咬合特性を分析することができる。
【０００６】
また、請求項２に記載の発明は、時刻の情報の入力を受け付ける時刻情報入力部を更に備え、前記咬合特性分析部は、前記時刻情報入力部に入力された時刻の情報に対応する圧力の情報と位置の情報とを前記記憶部から読み出し、前記表示部は、前記咬合特性分析部が読み出した圧力と位置との関係を表示することを特徴とする請求項１に記載の咬合特性分析装置である。
本発明では、時刻情報入力部に入力する時刻での圧力と位置との関係を表示部に表示することができ、所定の時刻にどの位置でどの程度の圧力が加わっていたのかについて利用者が表示部を参照することにより把握することができる。
【０００７】
また、請求項３に記載の発明は、前記圧力計測部が計測した圧力が予め設定された圧力以上の領域の面積を算出する面積特定部を更に備え、前記表示部は、前記咬合特性分析部が読み出した圧力と位置との関係とともに前記面積特定部が特定した面積を表示することを特徴とする請求項２に記載の咬合特性分析装置である。
【０００８】
また、請求項４に記載の発明は、位置の情報の入力を受け付ける位置情報入力部を更に備え、前記咬合特性分析部は、前記位置情報入力部に入力された位置の情報に対応する時刻の情報と圧力の情報とを前記記憶部から読み出し、前記表示部は、前記咬合特性分析部が読み出した時刻と圧力との関係を表示することを特徴とする請求項１に記載の咬合特性分析装置である。
本発明では、位置情報入力部に入力する位置での時刻と圧力との関係を表示部２６に表示することができ、時間の経過に伴って所定の位置に加わる圧力がどのように変化するかについて利用者が表示部を参照することにより把握することができる。
【０００９】
また、請求項５に記載の発明の前記圧力計測部は、咬み合わせ時に上の歯と下の歯との間に加わる圧力とその圧力が加わった位置とを圧電シートにより計測することを特徴とする請求項１から４までのいずれかの項に記載の咬合特性分析装置である。
【００１０】
また、請求項６に記載の発明は、前記圧力計測部は、咬み合わせ時に上の歯と下の歯との間に加わる圧力とその圧力が加わった位置とを感圧ゴムシートにより計測することを特徴とする請求項１から４までのいずれかの項に記載の咬合特性分析装置である。
【００１１】
また、請求項７に記載の発明は、咬み合わせ時に上の歯と下の歯との間に加わる圧力とその圧力が加わった位置とを計測する圧力計測過程と、前記圧力計測過程で圧力を計測する時刻を計時する計時過程と、前記圧力計測過程で計測した圧力及び位置の情報と前記計時過程で計時した時刻の情報とを対応付けて記憶する記憶過程と、前記記憶過程で記憶した情報に基づいて咬合特性を分析する咬合特性分析過程と、前記咬合特性分析過程での分析結果を表示する表示過程とを有することを特徴とする咬合特性分析方法である。
【発明の効果】
【００１２】
本発明によれば、咬み合わせ時に上の歯と下の歯との間に加わる圧力とその圧力が加わった位置及び時刻とに基づいて咬合特性を分析することができる。
【発明を実施するための最良の形態】
【００１３】
以下、図面を参照し、本発明の実施形態について説明する。
図１は、本発明の実施形態による咬合特性分析装置１００の外観図である。咬合特性分析装置１００は、圧力計測装置１０、分析装置本体２０を備えている。圧力計測装置１０と分析装置本体２０とは、電気コード３０により接続されており、圧力計測装置１０と分析装置本体２０は電気コード３０を介して有線通信を行う。なお、圧力計測装置１０と分析装置本体２０とを電気コード３０で有線接続せずに、無線通信を行うようにしてもよい。
【００１４】
圧力計測装置１０は、ゴムからなるマウスピース１２と、圧電素子を備える圧力計測部１１などを備えている。マウスピース１２は、咬み合わせ時の上の歯と下の歯の間の圧力計測時に、利用者の口の中に設置される。
マウスピース１２の内部には、圧力計測部１１が埋め込まれており、利用者の咬み合わせ時に上の歯と下の歯との間に加わる圧力とその圧力が加わった位置とを計測し、計測した圧力と位置の情報を対応付けて、電気コード３０を介して、分析装置本体２０に送信する。分析装置本体２０は、入力部２７、表示部２６などを備えている。
【００１５】
図２（ａ）は、本発明の実施形態による圧力計測部１１の構造を示す断面図である。ここで、図２（ａ）は、図１の圧力計測部１１のＡ−Ａ断面図である。
圧力計測部１１は、下部電極支持部４０、下部電極４１（４１ａ、４１ｂ、４１ｃ、４１ｄ、４１ｅ、４１ｆ、４１ｇ、４１ｈ、４１ｉ、・・・）、圧電シート４２、上部電極４３（４３ａ、・・・）、上部電極支持部４４からなる。
なお、図２（ｂ）は、本発明の実施形態による上部電極４３等の構成を示す斜視図であり、図２（ｃ）は、本発明の実施形態による下部電極４１等の構成を示す斜視図である。なお、圧力計測部１１は、Ｕ字の平板状の構造をしているが、図２（ｂ）及び図２（ｃ）では、圧力計測部１１の部分的な構造のみを示している。なお、圧力計測部１１は、Ｕ字の平板状の構造ではなく、円盤状等のその他の構造とすることもできる。
【００１６】
下部電極支持部４０は平面状の絶縁性のゴムからなり、その下部電極支持部４０の上に短冊状の互いに絶縁された下部電極４１ａ、４１ｂ、４１ｃ、４１ｄ、４１ｅ、４１ｆ、４１ｇ、４１ｈ、４１ｉ、・・・が設けられている。
また、上部電極支持部４４は平面状の絶縁性のゴムからなり、その上部電極支持部４４の上に短冊状の互いに絶縁された上部電極４３ａ、４３ｂ、４３ｃ、４３ｄ、４３ｅ、４３ｆ・・・が設けられている。
下部電極支持部４０と上部電極支持部４４は、導電ゴムにより形成された圧電シート４２を挟んで、下部電極４１と上部電極４３とが向かい合うように重ね合わされている。
【００１７】
圧電シート４２は、例えば、ライターによる着火時に高圧の電気を発生する際や、ガスレンジによる着火用の電圧を発生する際に利用されている。本実施形態では、圧電シート４２として、柔軟性のある有機圧電フイルム材料であるポリフッ化ビニリデンを用いている。
【００１８】
圧電シート４２は、圧電シート４２の両面に圧力が加えられることによって、圧電シート４２の内部に電気的な分極が生じるものであり、その分極の程度は加えられた圧力の大きさに関係する。この分極の変化によって上部電極４３と下部電極４１との間に電圧が発生する。
したがって、上部電極４３と下部電極４１との間に発生した電圧を測定し、その電圧を積分することによって加えられた圧力を算出することができる。
【００１９】
なお、本実施形態では、圧力計測部１１に圧電シートを用いているが、圧力計測部１１に感圧ゴムを用いるようにしてもよい。この場合、導電性を持たせた感圧ゴムの両面に上部電極と下部電極とを取り付け、それらの電極の間に電圧を印加する。
感圧ゴムの内部には、金属粉や黒鉛粉が含まれており、感圧ゴムに圧力が加えられると、金属粉や黒鉛粉の配置が変化し、粉と粉との間隔が変化することによって抵抗が変化するため、感圧ゴムの導電性が向上する。このため、感圧ゴムに圧力を加えることにより、圧電ゴムの導電性が変化し、電気抵抗が下がる。したがって、一定の電圧を上部電極と下部電極との間に印加した状態で電流値を測定することによって、その電流値から感圧ゴムに加えられている圧力を測定することができる。
【００２０】
また、本実施形態では、圧力計測部１１に圧電シートを用いているが、圧力計測部１１に平板センサを用いるようにしてもよい。この場合、誘電膜の表面と裏面とに、平行パターンの電極を形成し、表面と裏面とではその平行パターンの方向が９０度になるように平板センサを形成する。そして、表面の電極と裏面の電極とをそれぞれ選択して、それらの電極間の電気容量（キャパシタンス）を測定する。選択した表面の電極と裏面の電極とが交差する位置の電気容量を計測する。
表面の電極と裏面の電極とを順次選択することによって、誘電膜からなる面全体の電気容量の分布を計測することができる。誘電膜に厚さ方向から力が加われば誘電膜の厚さが変化する。その誘電膜の厚さは直接、電気容量として測定することができるので、その位置に加えられた力を測定することができる。この原理を利用して、咬み合わせ時に加わる圧力や、その圧力の変化、その圧力が加わった位置を特定することができる。
【００２１】
圧力計測部１１を、図２（ａ）〜図２（ｃ）のような構造とすることにより、上部電極４３と下部電極４１とが交わる領域における圧力を計測することができる。このため、圧力計測部１１をＵ字状の形状とすることにより、図３に示すように、Ｕ字状の領域を多数の格子状の領域に分割し、その各領域に加わる圧力とその圧力が加わった位置とを計測することができる。
【００２２】
図４は、本発明の実施形態による咬合特性分析装置１００の概略ブロック図である。咬合特性分析装置１００は、圧力計測装置１０と分析装置本体２０とを備えている（図１参照）。
圧力計測装置１０は、圧力計測部１１を備えている。また、分析装置本体２０は、制御部２１、計測情報取得部２２、計時部２３、記憶部２４、咬合特性分析部２５、表示部２６、入力部２７、面積特定部２８を備えている。
【００２３】
圧力計測部１１は、咬み合わせ時に上の歯と下の歯との間に加わる圧力とその圧力が加わった位置とを計測し、その圧力と位置とを対応付けて、分析装置本体２０の計測情報取得部２２に送信する。
【００２４】
制御部２１は、ＣＰＵ（Central Processing Unit）などの制御機器を備えており、計測情報取得部２２、計時部２３、入力部２７から出力される情報に基づいて、記憶部２４、咬合特性分析部２５、表示部２６、面積特定部２８を制御する。制御部２１の具体的な処理内容については、図６を参照して後述する。
計測情報取得部２２は、圧力と位置とが対応付けられた各領域における情報を、圧力計測装置１０の圧力計測部１１から受信し、その受信した情報を制御部２１に出力する。
計時部２３は、クロックを備えており、制御部２１の制御に基づいて、圧力計測部１１が圧力を計測した時刻を計時し、計時した時刻を制御部２１に出力する。
記憶部２４は、メモリなどの記憶機器を備えており、制御部２１の制御に基づいて、圧力計測部１１が計測した圧力及び位置の情報と、計時部２３が計時した時刻の情報とを対応付けて記憶する。
【００２５】
図５は、本発明の実施形態による記憶部２４が記憶する情報の一例を示す図である。図５に示すように、記憶部２４は、圧力（例えば、４０（Ｎ））と、その圧力を測定した位置（例えば、（ｘ，ｙ）＝（ｘ１，ｙ１））と、その圧力を測定した時刻（例えば、１３時１５分３０秒）を対応付けて記憶する。なお、本実施形態では、Ｕ字の平板状の圧力計測部１１に平行面をｘ−ｙ平面に設定しており、Ｕ字の圧力計測部１１の所定の点を（ｘ，ｙ）＝（０，０）に設定している。
【００２６】
図４に戻り、咬合特性分析部２５は、記憶部２４に記憶されている情報に基づいて咬合特性を分析し、その分析結果を制御部２１に出力する。
表示部２６は、ＬＣＤ（Liquid Crystal Display）などの表示機器を備えており、咬合特性分析部２５による分析結果を表示画面に表示する。
入力部２７は、キーボードなどの入力機器を備えており、時刻情報入力部２７ａと位置情報入力部２７ｂとを有している。時刻情報入力部２７ａは、時刻の情報や位置の情報を、利用者の操作に基づいて受け付ける。
面積特定部２８は、圧力計測部１１が計測した圧力が予め設定された圧力以上の領域の面積を算出し、算出した面積を制御部２１に出力する。
【００２７】
図６は、本発明の実施形態による咬合特性分析装置１００の処理を示すフローチャートである。始めに、利用者の操作に基づいて、入力部２７に測定開始指示が入力されたか否かについて制御部２１が判定する（ステップＳ０１）。
測定開始指示が入力されていない場合には、ステップＳ０１で「ＮＯ」と制御部２１が判定し、ステップＳ０１に進む。一方、測定開始指示が入力された場合には、ステップＳ０１で「ＹＥＳ」と制御部２１が判定し、ステップＳ０２に進む。
【００２８】
そして、利用者の操作に基づいて、入力部２７から測定時間ＴＡの入力を受け付ける（ステップＳ０２）。次に、各領域における圧力と位置とを圧力計測部１１により計測する（ステップＳ０３）。
そして、ステップＳ０３で圧力を計測した時刻を計時部２３により計時する（ステップＳ０４）。次に、ステップＳ０３で計測した圧力及び位置と、ステップＳ０４で計時した時刻とを対応付けて、記憶部２４に記録する（ステップＳ０５）。
【００２９】
そして、ステップＳ０２で入力された測定時間ＴＡが測定開始時刻から経過したか否かについて制御部２１が判定する（ステップＳ０６）。
測定時間ＴＡが経過していない場合には、ステップＳ０６で「ＮＯ」と判定し、ステップＳ０３に進む。一方、測定時間ＴＡが経過した場合には、ステップＳ０６で「ＹＥＳ」と判定し、ステップＳ０７に進む。
【００３０】
次に、利用者が入力部２７から入力する情報に基づいて、圧力と位置との関係を分析するか否かについて制御部２１が判定する（ステップＳ０７）。
圧力と位置との関係を分析しない場合には、ステップＳ０７で「ＮＯ」と判定し、後述するステップＳ１３に進む。一方、圧力と位置との関係を分析する場合には、ステップＳ０７で「ＹＥＳ」と判定し、ステップＳ０８に進む。
そして、利用者の操作に基づいて、分析する時刻の情報を、入力部２７を介して制御部２１が取得する（ステップＳ０８）。次に、ステップＳ０８で取得した分析する時刻に対応する圧力と位置の情報を、記憶部２４から読み出す（ステップＳ０９）。
【００３１】
そして、ステップＳ０９で読み出した圧力と位置の情報に基づいて、圧力と位置との関係を表示部２６に表示する（ステップＳ１０）。なお、本実施形態では、記憶部２４に下の歯の画像データを記憶させておき、圧力と位置との関係を表示部２６に表示している。
なお、圧力の強弱の度合いに応じて、その圧力に対応する領域の色を変化させるようにしてもよい。例えば、圧力が小さい領域ではその領域を青く表示させ、圧力が大きい領域ではその領域を赤く表示するようにしてもよい。
また、制御部２１は、全領域で測定した圧力の平均値を算出して表示部２６に表示したり、全領域で測定した圧力の中で最大の圧力を算出してその最大の圧力を示した位置とともに表示部２６に表示したりするようにしてもよい。
【００３２】
図７は、図６のフローチャートのステップＳ１０で表示部２６に表示される画像の一例を示す図である。図６では、ステップＳ０９で読み出した圧力が所定値以上の位置に相当する領域を四角い小領域（例えば、小領域Ｒ１）で示している。
【００３３】
図６に戻り、ステップＳ０９で読み出した圧力のうち、圧力が所定値Ｐｔｈ（例えば、Ｐｔｈ＝４０（Ｎ））以上の領域の面積を算出する（ステップＳ１１）。
そして、ステップＳ１１で算出した面積を表示部２６に表示する（ステップＳ１２）。そして、図６のフローチャートによる処理を終了する。
【００３４】
なお、ステップＳ１０で表示部２６に表示する圧力と位置との関係と、ステップＳ１２で表示部２６に表示する面積は、同時に表示部２６に表示するようにしてもよいし、所定の時間間隔（例えば、１秒）ごとに表示部２６に表示するようにしてもよい。
【００３５】
圧力と位置との関係を分析しない場合には、ステップＳ０７で「ＮＯ」と判定し、利用者が入力部２７から入力する情報に基づいて、時刻と圧力との関係を分析するか否かについて制御部２１が判定する（ステップＳ１３）。
時刻と圧力との関係を分析しない場合には、ステップＳ１３で「ＮＯ」と判定し、図６のフローチャートによる処理を終了する。一方、時刻と圧力との関係を分析する場合には、ステップＳ１３で「ＹＥＳ」と判定し、ステップＳ１４に進む。
【００３６】
そして、利用者の操作に基づいて、分析する位置の情報を、入力部２７を介して制御部２１が取得する（ステップＳ１４）。
次に、ステップＳ１４で取得した分析する位置に対応する時刻と圧力の情報を、記憶部２４から読み出す（ステップＳ１５）。
そして、ステップＳ１５で読み出した時刻と圧力の情報に基づいて、時刻と圧力との関係を表示部２６に表示する（ステップＳ１６）。そして、図６のフローチャートによる処理を終了する。
【００３７】
図８は、図６のフローチャートのステップＳ１６で表示部２６に表示される画像の一例を示す図である。図６では、横軸に時間（秒）をとり、縦軸に圧力（Ｎ）をとっている。
図８に示すように、圧力の計測開始から０．２秒経過後に、最大圧力１３０（Ｎ）が計測されている。
【００３８】
従来の圧力検出シートでは、圧力の測定を１回しか行うことができず、また、圧力の時間変化を把握することができなかったが、本実施形態では、記憶部２４に記憶されている情報を消去することにより、何度でも咬み合わせ時の圧力を測定することができ、また、圧力の時間変化を測定することができる
【００３９】
なお、上述した実施形態では、咬み合わせ時の圧力と位置との関係を分析する場合（図６のステップＳ０７）や、咬み合わせ時の時刻と圧力との関係を分析する場合（図６のステップＳ１３）について説明したが、このような分析に限定されるものではなく、その他の分析を行うようにしてもよい。
例えば、歯軋りに関する分析を行ってもよい。この場合、図６のステップＳ０６で「ＹＥＳ」と判定した後に、記憶部２４が記憶している情報に基づいて、圧力計測部１１が圧力を計測するＵ字状の領域の中で、所定の圧力（例えば、１００（Ｎ））以上の圧力を計測した時間を算出して、表示部２６に表示するようにしてもよい。また、所定の圧力以上の圧力を計測してから、所定の圧力以下となるまでを歯軋りが１回生じたと判定し、測定時間ＴＡ中に歯軋りが発生した回数を表示部２６に表示するようにしてもよい。
【００４０】
なお、以上説明した実施形態において、図４の圧力計測部１１、制御部２１、計測情報取得部２２、計時部２３、記憶部２４、咬合特性分析部２５、表示部２６、入力部２７、面積特定部２８の機能又はこれらの機能の一部を実現するためのプログラムをコンピュータ読み取り可能な記録媒体に記録して、この記録媒体に記録されたプログラムをコンピュータシステムに読み込ませ、実行することにより咬合特性分析装置１００の制御を行ってもよい。なお、ここでいう「コンピュータシステム」とは、ＯＳや周辺機器等のハードウェアを含むものとする。
【００４１】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時刻の間、動的にプログラムを保持するもの、その場合のサーバやクライアントとなるコンピュータシステム内部の揮発性メモリのように、一定時刻プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【００４２】
以上、この発明の実施形態について図面を参照して詳述してきたが、具体的な構成はこの実施形態に限られるものではなく、この発明の要旨を逸脱しない範囲の設計等も特許請求の範囲に含まれる。
【図面の簡単な説明】
【００４３】
【図１】本発明の実施形態による咬合特性分析装置１００の外観図である。
【図２】本発明の実施形態による圧力計測部１１の構造を示す断面図等である。
【図３】本発明の実施形態による圧力計測部１１について説明するための図である。
【図４】本発明の実施形態による咬合特性分析装置１００の概略ブロック図である。
【図５】本発明の実施形態による記憶部２４が記憶する情報の一例を示す図である。
【図６】本発明の実施形態による咬合特性分析装置１００の処理を示すフローチャートである。
【図７】図６のフローチャートのステップＳ１０で表示部２６に表示される画像の一例を示す図である。
【図８】図６のフローチャートのステップＳ１６で表示部２６に表示される画像の一例を示す図である。
【符号の説明】
【００４４】
１０・・・圧力計測装置、１１・・・圧力計測部、１２・・・マウスピース、２０・・・分析装置本体、２１・・・制御部、２２・・・計測情報取得部、２３・・・計時部、２４・・・記憶部、２５・・・咬合特性分析部、２６・・・表示部、２７・・・入力部、２８・・・面積特定部、３０・・・電気コード、４０・・・下部電極支持部、４１（４１ａ、４１ｂ、４１ｃ、４１ｄ、４１ｅ、４１ｆ、４１ｇ、４１ｈ、４１ｉ、・・・）・・・下部電極、４２・・・圧電シート、４３（４３ａ、・・・）・・・上部電極、４４・・・上部電極支持部、１００・・・咬合特性分析装置
【図１】
2008264024.tif 000003
【図２】
2008264024.tif 000004
【図３】
2008264024.tif 000005
【図４】
2008264024.tif 000006
【図５】
2008264024.tif 000007
【図６】
2008264024.tif 000008
【図７】
2008264024.tif 000009
【図８】
2008264024.tif 000010